(57)【要約】      （修正有）【課題】布製バナーの固定座であって、多種類の異なる規格のバナーに対応し、強固で構造が簡単で耐用性を有するバナー用安全昇降固定座を提供する。【解決手段】本バナー用安全昇降固定座は、横フレーム１０、可動フレーム２０、調整装置３０を包含し、該横フレームに滑り溝１１が設けられ、可動フレームは該滑り溝にスライド自在に嵌め込まれて該横フレームに対して移動して位置調整可能とされ、該調整装置は該横フレームに固定される。これにより、該調整装置のウォームスクリューを回転させることで、該ウォームスクリュー及び二つのリールを駆動してロープを巻くことができ、これによりスライドブロックを該滑り溝においてスライドさせ、並びに該可動フレームを駆動して該横フレームに対する位置を調整し、横長の広告用バナーを建築物の看板の下或いは天井の下或いは建築物の壁に取付けられるようにする。【選択図】図１
0003172755.tif 000002
【実用新案登録請求の範囲】
【請求項１】
バナー用安全昇降固定座において、
滑り溝及び第１端と第２端を具えた横フレームと、
該横フレームの第１端に配置され、且つ該滑り溝にスライド自在に嵌合され、該横フレームに対して移動して位置調整可能な可動フレームと、
該横フレームの第２端に固定された調整装置と、
を包含し、該調整装置により該可動フレームを駆動して該横フレームに対して移動させ、該可動フレームと該調整装置の間の相対位置を調整可能であることを特徴とする、バナー用安全昇降固定座。
【請求項２】
請求項１記載のバナー用安全昇降固定座において、該横フレームの該第２端内に掛けブロックが固定され、該掛けブロックに掛け柱が設けられたことを特徴とする、バナー用安全昇降固定座。
【請求項３】
請求項１記載のバナー用安全昇降固定座において、該調整装置は、ケーシング、ウォームスクリュー、ウォーム、二つのリール、ロープを包含し、該ウォームスクリューが該ウォームと噛み合い、且つそれぞれ該ケーシングに枢接され、該二つのリールはそれぞれ該ウォームの両側に固定され、該ロープは２端を具え、且つそれぞれ該二つのリールに掛けられ、該ロープはならびに該可動フレームのスライドブロックに通され、且つ該横フレームの掛けブロックに掛けられ、且つ該ロープの２端はそれぞれ該スライドブロックに固定され、該調整装置のウォームスクリューが回されることで、該ウォーム及び該二つのリールが駆動されて該ロープを巻回し、これにより、該スライドブロックを駆動して該滑り溝にあってスライドさせ、ならびに該可動フレームを駆動して該横フレームに対する相対位置を調整することを特徴とする、バナー用安全昇降固定座。
【請求項４】
請求項３記載のバナー用安全昇降固定座において、該調整装置のウォームスクリューにさらにコネクタが固定されたことを特徴とする、バナー用安全昇降固定座。
【請求項５】
請求項１記載のバナー用安全昇降固定座において、固定フレームをさらに包含し、該固定フレームは該横フレームの延伸位置に固定され、ならびに該可動フレームに対向することを特徴とする、バナー用安全昇降固定座。
【請求項６】
請求項１記載のバナー用安全昇降固定座において、操作アセンブリをさらに包含し、該操作アセンブリは、延伸ロッドを包含し、該延伸ロッドの前端に凹溝が形成され、該延伸ロッドの後端に操作ロッドが結合されたことを特徴とする、バナー用安全昇降固定座。
【請求項７】
請求項６記載のバナー用安全昇降固定座において、該延伸ロッドにスリーブが結合され、該スリーブに凸柱が設けられたことを特徴とする、バナー用安全昇降固定座。
【考案の詳細な説明】
【技術分野】
【０００１】
本考案は一種のバナー用安全昇降固定座に係り、特に、布製バナーの固定座であって、多種類の異なる規格のバナーに対応し、強固で構造が簡単で耐用性を有するものに関する。
【背景技術】
【０００２】
近年、広告用バナー産業は迅速に発展し、選挙期間にバナーが使用されるほか、一般の商業活動或いは展覧活動の前には、大通りの路辺或いは曲がり角、さらには中央分離島、街灯、街路樹或いは電柱にバナーが設置されることがよくある。
【０００３】
これにより、比較的大型のイベントがある時、会場となる建築物には横長の長細い広告用のバナーが掛けられ、このような広告用バナーは伝統的に、布を引き伸ばし、建築物上の突出物にロープでくくり付けられる。しかし、このような方式の最大の欠点は、必ずしもロープをくくり付けられる突出物を見つけられず、時には、ロープを結びつけるために、釘を打ったり或いはフックを接着する必要があり、外観が悪くなることである。
【０００４】
バナーは最も多くは商店で運用され、布がめくれあがったり、整然と掛けられなかったり、さらには底部の固定材が外観を悪くすることがよくある。
【０００５】
最近、市場には特定固定座の方式が押し進められているが、ロープを組み合わせて固定する必要があり、固定座を直接建築物上に固定できるものの、広告用バナーはロープで真っ直ぐに引っ張らねばならず、ロープを固定座及びプーリに巻いて、さらに固定座或いはその他のロープフレームに固定しなければならない。そのよいところは、固定座と建築物に一体感があることであるが、ロープを必要とするため、外観が悪く、且つ広告用バナー自身が気流の乱れにより比較的揺れ動きやすい。
【０００６】
このほか、このような固定座は、ロープで広告用バナーを引っ張り、両側に垂直な壁面を有する建築物に適用される。しかし、建築物の玄関の垂直壁面は通常、非常に接近しているものではなく、ある距離を有する。ゆえに、ときとして、ロープを非常に長く張らねばならず、数個のプーリ或いはロッド或いはフックに掛けなければならず、視覚上、ごちゃつく。
【０００７】
ロープによる固定が必要であるため、伝統的な横長広告用バナーは取付け操作上、不便であり、且つ視覚上、建築物とマッチせず、統一感がなく、外観がわるい。
【考案の概要】
【考案が解決しようとする課題】
【０００８】
本考案は、伝統的な横長広告用バナー固定座或いは固定方式における、一体感がなく、取付けと操作に不便であり、危険である等の欠点を改善し、並びに取付け後に建築物或いは環境と視覚上の一体感と協調を有する固定座であって、構造が簡単で取付けに便利で且つ安全であるバナー用安全昇降固定座を提供することを課題とする。それは、対をなして、横長広告用バナーに応用され、延伸ロッドを調整することで、多種類のサイズの広告用バナーに適用され、これにより、該固定座を繰り返し使用できるか、或いは永久使用でき、実施する建築物と一体感を有し、視覚上、外観がよいのみならず、十分に資源を利用し、周知の固定フレーム資源を浪費する欠点を改善する。
【課題を解決するための手段】
【０００９】
本考案の提供するバナー用安全昇降固定座は、横フレーム、可動フレーム、調整装置を包含し、該横フレームに滑り溝が設けられ、可動フレームは該滑り溝にスライド自在に嵌め込まれて該横フレームに対して移動して位置調整可能とされ、該調整装置は該横フレームに固定される。以上の構造により、異なる規格の横長広告用バナーを迅速に調整及び固定でき、並びに操作に便利な効果を有し、横長広告用バナーを張り、並びに建築物の選定位置に整然と掛け（たとえば玄関の天井の下或いは建築物の壁）、且つ操作に便利な効果を有する。
【００１０】
前述のバナー用安全昇降固定座は、該横フレームが第１端とその反対に位置する第２端を有し、並びに該第２端内に掛けブロックが設けられ、該掛けブロックに掛け柱が設けられ、該横フレームが建築物の選定位置に接合され、且つしっかりと建築物に固定されることにより、外観が整然とする。
【００１１】
前述のバナー用安全昇降固定座は、調整装置がケーシング、ウォームスクリュー、ウォーム、二つのリール、ロープを包含する。該ウォームスクリューとウォームは噛み合い、且つ該ケーシングに枢接される。該二つのリールはそれぞれ該ウォームの両側に固定され、該ロープは２端を有し、且つそれぞれ該二つのリールに巻かれ、該ロープは並びに該可動フレームのスライドブロックに通され、且つ該横フレームの掛けブロックに掛けられ、且つ該ロープの２端はそれぞれ該スライドブロックに固定される。該調整装置のウォームスクリューが回されることで、該ウォーム及び該二つのリールが駆動されて該ロープを巻き、これにより該スライドブロックを駆動して該滑り溝をスライドさせ、並びに該可動フレームを駆動して該横フレームに対する相対位置を調整させる。以上の構造により、迅速に異なる規格の横長広告用バナーの調整及び固定が行え、並びに整然と建築物の看板の下、或いは玄関の天井の下、或いは建築物の壁に掛けられ、且つ操作に便利な機能を有する。
【考案の効果】
【００１２】
以上から分かるように、本考案の提供するバナー用安全昇降固定座は、多種類の異なる規格の長細形の横長の広告用バナーに適用され、且つその提供する構造は簡単で耐用性があり、製造コストが低く、取付け或いは取り外し或いは調整の操作に便利で且つ安全であり、非常に実用的である。
【図面の簡単な説明】
【００１３】
【図１】本考案の立体図である。
【図２】本考案の分解図である。
【図３】本考案の局部拡大分解図である。
【図４】図１の右側面図である。
【図５】図１の左側面図である。
【図６】本考案の実際に広告用バナーを結合させた表示図である。
【図７】本考案の操作アセンブリの立体図である。
【図８】本考案の操作アセンブリの局部拡大の立体図である。
【考案を実施するための形態】
【００１４】
図１から図３に示されるように、本考案のバナー用安全昇降固定座は、横フレーム１０、可動フレーム２０及び調整装置３０を包含する。そのうち、横フレーム１０には滑り溝１１が設けられ、且つ第１端１２と第１端１２と反対の第２端１３を有する。横フレーム１０内に掛けブロック１４が固定され、且つ該掛けブロック１４に突出する掛け柱１４１が設けられている。
【００１５】
可動フレーム２０は該滑り溝１１の第１端１２にスライド自在に嵌合され、該横フレーム１０の延伸方向に対して位置の移動調整が行え、調整装置３０は該横フレーム１０の第１端１３に固定される。これにより、該調整装置３０は該可動フレーム２０を駆動して該横フレーム１０に対して相対位置を調整することができる。
【００１６】
可動フレーム２０は、横長広告用バナーを固定するのに用いられる。該可動フレーム２０は、外柱２１、嵌合ブロック２２、凸伸結合柱２３、スライドブロック２４、内柱２５を包含する。該凸伸結合柱２３は該スライドブロック２４は、該スライドブロック２４の底端より下向きに延伸され、ならびに環状溝２３１が形成されている。スライドブロック２４は該横フレーム１０の滑り溝１１内にスライド自在に嵌合される。
【００１７】
嵌合ブロック２２の内部には二つの相互に対応する柱体２２１、２２２が設置され、嵌合ブロック２２が凸伸結合柱２３に嵌合される時、該対応する柱体２２１、２２２の円滑な内端が凸伸結合柱２３の環状溝２３１に嵌まり込み、ゆえに、嵌合ブロック２２が凸伸結合柱２３を中心として操作を受けて回転する。内柱２５の上端は凸伸結合柱２３の底端に嵌合される。外柱２１の上端は嵌合ブロック２２に結合される。
【００１８】
調整装置３０は、ケーシング３１、ウォームスクリュー３２、ウォーム３３、二つのリール３４ａ、３４ｂ、ロープ３５を包含する。該ロープ３５は二端３５１、３５２を有し、且つそれぞれ該二つのリール３４に掛けられる。該ロープ３５はならびに該可動フレーム２０のスライドブロック２４を通り、且つ該横フレーム１０の掛けブロック１４上の掛け柱１４１に掛けられ、且つ該ロープ３５の二端３５１、３５２はそれぞれ該スライドブロック２４に固定される。
【００１９】
図４には図１の本考案の右側面図が示され、図５は図１の本考案の左側面図が示される。図６は本考案の実際に広告用バナーに結合された表示図である。本考案を実際に使用する時、可動フレーム２０に固定フレーム４０が組み合わされて、広告用バナー５０が展開される。固定フレーム４０は横フレーム１０の同方向の延伸位置に位置決めされ、ならびに該可動フレーム２０に対応し、各種規格の横長広告用バナー５０が建築物の選定位置に掛けられる。固定フレーム４０はまた延伸ロッドとされ得る。調整装置３０のウォームスクリュー３２にさらにコネクタ３２１が固定され、ウォームスクリュー３２を回転操作するための延伸操作ロッド（図示せず）の接続に供される。
【００２０】
各図を共に参照されたい。該調整装置３０のウォームスクリュー３２を回転させると、該ウォーム３３及び該二つのリール３４を駆動して該ロープ３５を巻くことができ、これにより、該スライドブロック２４を駆動して該滑り溝１１をスライドさせ、ならびに該可動フレーム２０を駆動して該横フレーム１０に対する相対位置を調整できる。前述の構造により、迅速に異なる規格の横長の広告用バナー５０を調整及び固定でき、ならびに操作に便利な効果を有し、広告用バナー５０を張って、整然と建築物の玄関の天井の下或いは建築物の壁に掛けることができ、且つ操作に便利な機能を有する。
【００２１】
最後に図２と図７、図８に示されるように、本考案のバナー用安全昇降固定座は、操作アセンブリ６と組み合わせて着脱動作を行える。該操作アセンブリ６は、凹溝６１、スリーブ６２、延伸ロッド６３及び操作ロッド６４で構成される。そのうち、該スリーブ６２は、凸柱６２０を包含し、該操作アセンブリ６は三種類の機能を有する。
【００２２】
まず、該操作アセンブリ６の凹溝６１と本考案中のウォームスクリュー３２上のコネクタ３２１が嵌合された後、操作ロッド６４が回されることで、ウォームスクリュー３２とウォーム３３が駆動され、これにより、本考案のバナーが展開或いは収納される。そのつぎに、該操作アセンブリ６のスリーブ６２は凸柱６２０を有し、該凸柱６２０が本考案中の外柱２１上のＬ溝２１０に嵌合されて、外柱２１の着脱に供される。最後に、該操作アセンブリ６の凹溝６１が本考案中の内柱２５の管内の横棒（図示せず）に嵌合された後、操作ロッド６４が回されることで、内柱２５に対する着脱が行える。
【００２３】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２４】
１０  横フレーム
１１  滑り溝
１２  第１端
１３  第２端
１４  掛けブロック
１４１  掛け柱
２０  可動フレーム
２１  外柱
２１０  Ｌ溝
２２  嵌合ブロック
２３  凸伸結合柱
２４  スライドブロック
２５  内柱
２３１  環状溝
２２１、２２２  柱体
３０  調整装置
３１  ケーシング
３２  ウォームスクリュー
３２１  コネクタ
３３  ウォーム
３４ａ、３４ｂ  リール
３５  ロープ
３５１、３５２  端
４０  固定フレーム
５０  広告用バナー
６  操作アセンブリ
６１  凹溝
６２  スリーブ
６２０  凸柱
６３  延伸ロッド
６４  操作ロッド
【図１】
0003172755.tif 000003
【図２】
0003172755.tif 000004
【図３】
0003172755.tif 000005
【図４】
0003172755.tif 000006
【図５】
0003172755.tif 000007
【図６】
0003172755.tif 000008
【図７】
0003172755.tif 000009
【図８】
0003172755.tif 000010